(57)【特許請求の範囲】
【請求項１】
物品移送コンベヤ上に線列をなして配置された物品をコンベヤの横方向に移送するための物品移送装置用プッシャーバー組立体であって、
物品移送コンベヤから物品移送コンベヤの横方向に一斉に移送されるべき全ての物品に係合する程の長さを有する横方向に延びた、ポケットを有するポケットバーと、
互いに長手方向に端と端を合わせて配置され、隣接した端が互いに間隔を隔てている第１及び第２の枢動可能なプッシャーバーと、
前記ポケットバーを平行して前記第１及び第２のプッシャーバーの各々に解放自在に固着するための手段と、
前記第１のプッシャーバーを支持するための第１の支持手段と、
前記第２のプッシャーバーを支持するための第２の支持手段と、
を含む、物品移送装置用プッシャーバー組立体。
【請求項２】
前記ポケットバーの前記ポケットは、前記ポケットバーに取り外し自在に固着された複数の歯によって構成され、前記ポケットバーに解放自在に固着するための前記手段が更に設けられ、該手段は、前記ポケットバー及び前記歯の１つに設けられた整合した孔を貫通する間隔を隔てた複数のほぼ垂直に延びたピンと、前記ほぼ垂直に延びたピンの上自由端に固着されたプルリングとを含む、請求項１によるプッシャーバー組立体。
【請求項３】
前記第1の支持手段は線列の横方向に延びる垂直平面において前記第1のプッシャーバーの向きを調整するための手段と、
線列の横方向に延びる垂直平面において前記第２のプッシャーバーの向きを調整するための手段と、を含み、
それによって、移送中物品のトッピングを回避するために、前記プッシャーバー組立体によって移送される物品に僅かな傾きを与えることができる、請求項１によるプッシャーバー組立体。
【請求項４】
前記ポケットバーがその長さにそって撓み、
前記支持手段のほぼ横方向に延びる水平平面において前記第１のプッシャーバーの向きを調整するための手段と、
第２の支持手段のほぼ横方向に延びる水平平面において前記第２のプッシャーバーの向きを調整するための手段と、を含み、
それによって、水平平面において前記第１のプッシャーバーを調整するための前記手段の調整及び水平平面において前記第２のプッシャーバーを調整するための前記手段の調整によって前記ポケットバーに湾曲を与えることができる、請求項１によるプッシャーバー組立体。
【請求項５】
前記第１の支持手段に対する前記第1のプッシャーバーの高さを調整するための手段と、
前記第２の支持手段に対する前記第２のプッシャーバーの高さを調整するための手段と、を更に含む、請求項１によるプッシャーバー組立体。
【請求項６】
前記ポケットバーを前記第１及び第２のプッシャーバーに解放自在に固着するための手段により、前記ポケットバーの位置を前記第１及び第２のプッシャーバーの位置に対してその長手方向軸線に沿って調整することができる、請求項１によるプッシャーバー組立体。
【請求項７】
前記物品移送装置が、新たに形成された高温のガラス容器を焼きなまし炉の中へ装填するための焼きなまし炉ローダである、請求項１によるプッシャーバー組立体。
【発明の詳細な説明】
【０００１】
【発明の属する分野】
本発明はコンベヤ上に線列をなして配置された物品をコンベヤの横方向に物品処理ユニットへ移送するのに使用される形式の物品移送装置用プッシャーバー組立体に関する。特に、本発明は、新たに形成されたガラス容器を焼きなまし炉の移動コンベヤの水平上面に移送するための上記特徴の物品移送装置、即ち、しばしば焼きなまし炉ローダ又はスタッカーと呼ばれる形式の移送装置用のプッシャーバー組立体に関する。
【０００２】
【従来の技術】
米国特許第５，０４４，４８８（ボリン）は垂直方向に一連の移動可能なキャリッジを有する焼きなまし炉ローダ又はスタッカーを開示しており、キャリッジの最も下のキャリッジは焼きなまし炉ローダを据えつけているプラントの床より上の高さに支持構造物によって支持される。最も下のキャリッジは、スタッカーと焼きなまし炉との間に位置決めされたクロスコンベヤと称して記載されるコンベヤで線列のガラス容器をクロスコンベヤの横方向に、焼きなまし炉の中へ前進させるために隣接した焼きなまし炉に向かって移動できる。最も下のキャリッジには中間コンベヤが設けられ、該中間コンベヤは最も下のキャリッジと一緒に移動でき、且つクロスコンベヤの移動方向と平行な方向に最も下のキャリッジに対して独立に移動できて、クロスコンベヤ上の新しい容器が、焼きなまし炉ローダに向かう最も下のキャリッジの移動中、最も上のキャリッジによって支持されたプッシャーバーによって支持されているポケットバーに衝突しないようにする。
第３の最も上のキャリッジが中間のキャリッジより上に設けられ、そして最も下のキャリッジ及び中間のキャリッジと一緒に移動でき、中間のキャリッジ及び最も下のキャリッジと関係なく垂直方向に移動できてプッシャーバーを、スタート位置へプッシャーバーが戻る間クロスコンベヤで入ってくる容器のトップより上に持ち上げる。他の焼きなまし炉ローダが、好ましくは出願の譲受人の前任者に譲られた米国特許第４，０６７，４３４号（マムホード）及び同第３，１８１，０３１号（ダンラップ）に開示されており、その各々の開示をここに援用する。
上記の一般的のな説明の改良された焼きなまし炉ローダも、この出願の譲受人に譲られた米国特許出願第０８／９３１，７２０号に開示されている。
【０００３】
【発明が解決しようとする課題】
最新のガラス容器焼きなまし炉は、最新の大量生産ガラス容器形成機の生産高を適当に処理することができるために、大変広い。ガラス容器を焼きなまし炉の中を運ぶコンベヤベルトの幅はかかる焼きなまし炉と関連した焼きなまし炉ローダのプッシャーバー組立体の全所要幅を決定し、先行技術で教示された形式のかかるプッシャーバー組立体用の全幅のポケットバーは、特に、ローダが使用される高温環境、しばしば４００°Ｆに達し或いはそれを越える環境では長さに沿ってそりを受ける。このプッシャーバーのそりの問題は、容器を特に大きな内部幅を有する焼きなまし炉を提供するように設計された焼きなまし炉ローダの場合に特に厳しい。
【０００４】
従って、本発明の目的は、線列に配置された物品を線列の横方向に移送するのに使用される形式の物品移送装置用改良プッシャーバー組立体を提供することにある。特に、本発明の目的は、新たに形成されたガラス容器を容器クロスコンベヤから焼きなまし炉の移動コンベヤまで移送するのに使用される形式の焼きなまし炉ローダ用プッシャーバー組立体として実用性を有する上記特徴のプッシャーバー組立体を提供することにある。本発明の目的はまた、先行技術の焼きなまし炉ローダ用プッシャーバー組立体よりも端から端のそりを受けにくいガラス容器焼きなまし用改良プッシャーバー組立体を提供することにある。
【０００５】
【課題を解決するための手段】
本発明によれば、ポケットバーが先行技術のプッシャーバー組立体のポケットバーよりも端から端のそりに耐える、ガラス容器焼きなまし炉用ポケットバー支持プッシャーバー組立体を提供する。本発明のポケットバーは端と端を合わせて配置された少なくとも２つのセグメントで構成されたプッシャーバーに取り付けられ、このような各セグメントは単一ピースのプッシャーバーよりも端から端のそりを実質的に受けにくい。更に、本発明のプッシャーバー組立体は的確に真っ直ぐそして適切に位置決めされたポケットバーを確保するために先行技術によって教示されたようにスペーサ及びワッシャーの必要なしに、ポケットバーをプッシャーバーに対して真っ直ぐにするため多ピースプッシャーバーによって支持されたポケットバーの位置を水平方向及び垂直方向に調整するための複数のねじ調整物を支持する。
【０００６】
本発明及びその目的の更なる理解のために、図面及び発明の以下の概略的説明に、そして好ましい実施形態の詳細な説明及び特許請求の範囲に注意を向ける。
【０００７】
【発明の実施形態】
本発明の好ましい実施形態によるプッシャーバー組立体を図１及び２に全体的に参照番号２０で支持する。プッシャーバー組立体２０はほぼ水平に延びる単一片のポケットバー２２を含み、該ポケットバーはガラス容器焼きなまし炉（図示せず）の内幅の幅全体に延びる。ポケットバー２２は焼きなましすべき新たに形成された容器に係合するためのポケットを構成する間隔を隔てた複数のほぼ三角形状の歯を備えている。
【０００８】
ポケットバー２２は端と端を合わせて配置された複数のほぼ水平に延びるプッシャーバーで支持され、プッシャーバーはプッシャーバー２６、２８として示す。プッシャーバー２６、２８は下方に延びたビーム３０、３２にそれぞれ固着され、ビームは先行技術で知られた形式の３軸焼きなまし炉ローダーの最上キャリッジ（図示せず）の一部である。プッシャーバー２６は、ねじ緊締具３６によってビーム３０の底に固着されたほぼ水平に延びるフランジ３４から吊り下げられ、ねじ緊締具３６により、プッシャーバー２６の高さをビーム３０に対して調整させることができる。同様に、プッシャーバー２８は、ねじ緊締具４０によってビーム３８の底に固着されたほぼ水平に延びるフランジ３８から吊り下げら、ねじ緊締具４０により、プッシャーバー２８の高さをビーム３２に対して調整させることができる。更に、プッシャーバー２６、２８の隣接した内端はブラケット４２で支持され、そしてフランジ５２、５４のそれぞれスロット４８、５０にそれぞれ受け入れられたねじ緊締具４４、４６によってプッシャーバーの長手軸線に沿って調整することができる。一方、フランジ５２、５４はブラケット４２に固着されている。プッシャーバー２６、２８の隣接した内端は、また、ブラケット４２のそれぞれスロット６０、６２にそれぞれ受け入れられたねじ緊締具５６、５８によってフランジ５２、５４の隣接した内端をブラケット４２に調節自在に固着することによってプッシャーバーの長手方向軸線の横方向に水平平面において調整できる。
【０００９】
ポケットバー２２を移送すべき容器Ｃに対して正確に位置決めさせるために、水平平面において長さにそって撓むポケットバー２２はプッシャーバー２６、２８の位置の調整を要求することなくプッシャーバー２６、２８に対してポケットバーの長手方向軸線に沿って調整できる。そのために、ポケットバー２２はブラケット６４、６６によってプッシャーバー２６、２８にそれぞれ固着される。ブラケット６４は、ねじ緊締具６８によってポケットバー２２に固着され、ねじ緊締具６８により、ポケットバー２２の高さをプッシャーバー２６に対して調整させる。ブラケット６４はまた、ポケットバー２２をプッシャーバー２６に対して長さに沿って調整させるために、ブラケット６４のスロット７４に受け入れられたねじ緊締具７０、７２によってプッシャーバー２６に固着される。同様に、ブラケット６６はねじ緊締具７６によってポケットバー２２に固着され、ねじ緊締具７６により、ポケットバー２２の高さをプッシャーバー２８に対して調整させ、ブラケット６６は、ポケットバー２２をプッシャーバー２８に対して長さに沿って調整させるために、ブラケット６６のスロット８２に受け入れられたねじ緊締具７８、８０によってプッシャーバー２８に固着される。
【００１０】
プッシャーバー２６はまた、プッシャーバー２６の水平方向に延びたフランジ部分の開口部８６を貫いて延びる下方に延びたピン８４をブラケット３４に設けることによって、水平平面においてねじ緊締具３６に対して回動させることができる。同様に、プッシャーバー２８も、プッシャーバー２８の水平方向に延びたフランジ部分の開口部９２を貫いて延びる下方に延びたピン９０をブラケット３８に設けることによって、水平平面においてねじ緊締具４０に対して回動させることができる。
【００１１】
図８及び１０に示すように、ポケットバーによって係合される容器Ｃがその底面の後方部分にそって押され、それによって容器の移送中容器Ｃのトッピングを遅らせるために、ポケットバー２２に真の垂直傾斜から僅かな傾斜を与えることができることが望ましい。このために、特に図１０に示すように、プッシャーバー２８はヒーム３２に対してその向きが調整できる。これは、フランジ３８を間隔を隔てた一対のプレート、即ち上プレート９６及び下プレート９８で構成することによって達成される。下プレート９８は、上プレート９６と下プレート９８を互いに固着するのに使用されるねじ緊締具１００の長手方向中心軸である軸線Ａを中心にプレート９６にヒンジ止めされている。下プレート９８を、キャップねじ１０２の回転によってビーム３２に強固に固着された上プレート９６に対して正確に移動させる。キャップねじ１０２の軸部はほぼＴ形環状部材１０４を貫通し、Ｔ形環状部材１０４は上プレート９６に対して固定して位置決めされ、且つキャップねじ１０２の向きを、望みに応じて真の垂直な向きから変えるのに十分大きな内開口部を有する。キャップねじ１０２の頭の下側は円錐形ワッシャ組立体１０６によって環状部材１０４で支持され、ワッシャ組立体は上方に面した円錐面をもった下円錐ワッシャ１０８と下方に面した円錐面をもった上円錐ワッシャ１１０とで作られている。
【００１２】
キャップねじ１０２の下端はフランジ３８の下プレート９８にねじ込まれているので、キャップねじ１０２の向きの変更により下プレート９８を軸線Ａを中心に上プレート９６に対して正確に移動させる。キャップねじ１０２の向きは上円錐ワッシャ１１０と下円錐ワッシャ１０８を互いに対して滑らせることによって変えられ、このような円錐ワッシャ１０８、１１０の両方のうちの一方は、それをキャップねじ１０２の軸線に対して半径方向に移動させるのに十分大きな内径を備えている。
【００１３】
特に図示されていないが、フランジ３４は、上記のようにフランジ３８がビーム３２に固着されるのと同じ方法でヒーム３０に調整可能に固着される。図１０に示す構成でキャップねじ１０２と同じ機能を行うキャップねじ１１２が設けられる。
【００１４】
図５に示すように、フランジ３４は上プレート１１４及び下プレート１１６を備えている。下プレート１１６は、上記のように、フランジ３８の下プレート９８が軸線Ａを中心に上プレート９６に対して回動できる仕方で水平方向に延びる軸線Ｂを中心に上プレート１１４に対して回動できる。例えば、プッシャーバー２６の異なる部分が破線で示されている場合に、図２に示すように、プッシャーバー組立体２０によって進められる容器Ｃのウエーブに僅かに三日月形列を与えるように要求されるとき、プッシャーバー２６の向きを移動させてプッシャーバー２８との整列から外すために、下プレートも、下方に延びたピン１１８を貫いて延びる垂直に延びた軸線Ｄを中心に上プレート１１４に対して水平平面において回動できる。軸線Ｏを中心とする下プレート１１６の回動はＣ形ホロワー１２２（図４）にねじ込まれたねじ部材１２０によって手で行われる。ホロワー１２２は上プレート１１４から外方に延びるピン１２４を受け入れ、ねじ部材１２０の回転によってホロワーを前後に移動させる。
【００１５】
同様に、フランジ３８の下プレート９８はピンを中心に上プレート９６に対して水平平面において回動でき、前に記載したように、下プレート１１６の向きを上プレート１１４に対して水平に調整するための構成におけるねじ部材１２０の機能を行うねじ部材１２８が設けられている。
【００１６】
例えば、容器Ｃの直径が時々変わるとき、ポケットバー２２の歯２４の間隔を互いに変えることが望ましいので、ポケットバー２２をプッシャーバー２６、２８に固着するための急速外しの特徴が設けられ、所定のポケットバー２２の歯２４の間隔を変えるのではなく、異なる間隔の歯２４の付いた、異なるポケットバー２２を使用することができる。そのために、歯２４及びプッシャーバー２６、２８の整合した孔に差し込むことによって歯２４をプッシャーバー２６に取り外し自在に固着するために各々上自由端にプルリング１３２をもった間隔を隔てた複数のピン２２が設けられる。
【００１７】
発明者によって計画され、出願日現在本発明を実施するための最良の形態をここに示し且つ説明したが、適当な修正、変更及び均等物が発明の範囲から逸脱することなくなし得ることは当業者に明らかであり、このような発明の範囲は専ら特許請求の範囲及び法律的な均等によって制限される。
【図面の簡単な説明】
【図１】  本発明発明の好ましい実施形態によるプッシャーバー組立体の正面図である。
【図２】  図１のプッシャーバー組立体の平面図である。
【図３】  図１及び２によるプッシャーバー組立体の拡大断片的正面図である。
【図４】  図１−３によるプッシャーバー組立体の拡大断片的平面図である。
【図５】  図１−４によるプッシャーバー組立体の更なる拡大断片的立面図である。
【図６】  図１−５によるプッシャーバー組立体の拡大断片的平面図である。
【図７】  図１−６によるプッシャーバー組立体の拡大断片的立面図である。
【図８】  図１の線８−８における拡大断面図である。
【図９】  図１の線９−９における拡大断面図である。
【図１０】  図１の線１０−１０における拡大断面図である。
【図１１】  図７の線１１−１１における拡大断面図である。
【符号の説明】
２０  プッシャーバー組立体
２２  ポケットバー
２６  プッシャーバー
２８  プッシャーバー
３０  ビーム
３２  ビーム
【図１】
0004377000.tif 000002
【図２】
0004377000.tif 000003
【図３】
0004377000.tif 000004
【図４】
0004377000.tif 000005
【図５】
0004377000.tif 000006
【図６】
0004377000.tif 000007
【図７】
0004377000.tif 000008
【図８】
0004377000.tif 000009
【図９】
0004377000.tif 000010
【図１０】
0004377000.tif 000011
【図１１】
0004377000.tif 000012